(57)【要約】【課題】フィードフォワード増幅器で、補助増幅器の周波数帯域特性を広帯域化しなくとも、複数の信号群について精度よく歪み補償を行う。【解決手段】それぞれ異なる周波数帯域を有する複数の信号群を入力し、歪み検出ループにおいてこれら複数の入力信号群を主増幅器４で増幅して当該主増幅器４で発生する歪みを検出し、歪み補償ループにおいて当該主増幅器４による増幅信号から歪み検出ループにより検出された歪みを除去するに際して、歪み補償ループは、歪み検出ループにより検出された歪みに含まれる各入力信号群毎の歪みを補助増幅器１２、１６により増幅する入力信号群と同数の歪み増幅系を有し、これら複数の歪み増幅系により増幅された各入力信号群毎の歪みの総和を主増幅器４による増幅信号から除去する。【選択図】　　　図１
2004064377.tif 000002
【特許請求の範囲】
【請求項１】
それぞれ異なる周波数帯域を有する複数の信号群を入力し、歪み検出ループにおいてこれら複数の入力信号群を主増幅器で増幅して当該主増幅器で発生する歪みを検出し、歪み補償ループにおいて当該主増幅器による増幅信号から歪み検出ループにより検出された歪みを除去するフィードフォワード増幅器であって、
歪み補償ループは、歪み検出ループにより検出された歪みに含まれる各入力信号群毎の歪みを補助増幅器により増幅する入力信号群と同数の歪み増幅系を有し、これら複数の歪み増幅系により増幅された各入力信号群毎の歪みの総和を主増幅器による増幅信号から除去する、
ことを特徴とするフィードフォワード増幅器。
【請求項２】
請求項１に記載のフィードフォワード増幅器において、
歪み補償ループが有する各歪み増幅系は、それぞれに対応した入力信号群の歪みを抽出するフィルタを備え、当該フィルタにより抽出される歪みを補助増幅器により増幅する、
ことを特徴とするフィードフォワード増幅器。
【請求項３】
請求項２に記載のフィードフォワード増幅器において、
歪み補償ループが有する各歪み増幅系は、それぞれに対応した入力信号群の歪みを抽出するバンドパスフィルタと、バンドパスフィルタにより抽出される歪みの振幅を変化させる振幅変化器と、バンドパスフィルタにより抽出される歪みの位相を変化させる位相変化器と、振幅変化器により振幅が変化させられて位相変化器により位相が変化させられた歪みを増幅する補助増幅器と、を備えた、
ことを特徴とするフィードフォワード増幅器。
【請求項４】
請求項３に記載のフィードフォワード増幅器において、
歪み補償ループが有する各歪み増幅系に備えられたバンドパスフィルタとして、抽出する歪みの周波数帯域において遅延平坦性及び振幅平坦性を有するバンドパスフィルタを用いた、
ことを特徴とするフィードフォワード増幅器。
【請求項５】
請求項１乃至請求項４のいずれか１項に記載のフィードフォワード増幅器において、
歪み検出ループに備えられた主増幅器により増幅される前における複数の入力信号群に対して各入力信号群毎に設けられる入力信号群と同数のパイロット信号を合成するパイロット信号合成手段と、
歪み補償ループにより歪みが除去された主増幅器による増幅信号に含まれる各パイロット信号に対応した信号を検出するパイロット信号対応信号検出手段と、パイロット信号対応信号検出手段による検出結果に基づいて、歪み補償ループにより歪みが除去された主増幅器による増幅信号に含まれる歪みが低減されるように、歪み補償ループが有する各歪み増幅系を制御するパイロット信号制御手段と、
を備えたことを特徴とするフィードフォワード増幅器。
【発明の詳細な説明】
【０００１】
【発明の属する技術分野】
本発明は、歪み検出ループにおいてそれぞれ異なる周波数帯域を有する複数の信号群を主増幅器で増幅して、歪み補償ループにおいて当該主増幅器で発生する歪みを補償するフィードフォワード増幅器に関し、特に、例えば、歪み検出ループにより検出される歪みを増幅するために用いられる補助増幅器の周波数帯域特性を広帯域化しなくとも、全体として広帯域な複数の信号群について精度よく歪み補償を行うことが可能なフィードフォワード増幅器に関する。
【０００２】
【従来の技術】
移動体通信用の基地局装置や中継局装置などでは、所定の周波数間隔を有してそれぞれ適宜変調されている多数の搬送波を含むマルチキャリア信号を、高周波増幅した後に無線により送信することが行われる。高周波増幅に用いる増幅器の線形性が十分良好でないと、例えば相互変調歪みなどの各種の歪みが発生する。この歪みは、正常かつ高品質な通信を実現する上で支障となる。このため、マルチキャリア信号の増幅に用いる増幅器に対しては、マルチキャリア信号が属する周波数帯域の全体にわたって、良好な線形性が要求される。
【０００３】
マルチキャリア信号の増幅に適する超低歪み増幅器を実現する手法の一つとして、フィードフォワード（ＦＦ：Ｆｅｅｄｆｏｒｗａｒｄ）増幅方式がある。
ここで、本明細書では、ＦＦ増幅方式において、信号入力端から主増幅器を経て信号出力端に至る信号経路、すなわち増幅すべき信号及び増幅した信号を伝送するための信号経路を、本線と言う。
【０００４】
また、ＦＦ増幅方式では、本線上で主増幅器より後段にある点から分岐した信号と本線上で主増幅器より前段にある点から分岐した信号とを結合させる歪み検出用経路を設ける。本明細書では、本線と歪み検出用経路とから構成されるループを歪み検出ループと言う。
【０００５】
そして、歪み検出ループでは、本線を伝送する信号と歪み検出用経路を伝送する信号との両信号が経由した信号経路の電気長が互いに等しく、且つ、両信号が互いに同振幅で逆位相になっていれば、上述した信号結合動作によって、搬送波成分を打ち消して主増幅器及びその周辺回路において生じた歪みに相当する信号を取り出すことができる。
【０００６】
更に、ＦＦ増幅方式では、歪み補償用経路を設けて、歪み検出ループにより取り出された信号すなわち歪みに相当する信号を本線上の信号と再結合させる。本明細書では、本線と歪み補償用経路とから構成されるループを歪み補償ループと言う。
【０００７】
そして、歪み補償ループにおける信号遅延が本線上で補償されており、且つ、本線上の信号に含まれる歪み成分と歪み検出ループにより得られる歪みの信号とが互いに同振幅で逆位相となるように歪み補償ループにおいて適宜振幅や位相の調整が行なわれれば、上述した信号再結合動作によって、主増幅器において発生した歪みを補償することができる。
【０００８】
図３には、従来のＦＦ増幅器の一構成例を示してある。
同図に示したＦＦ増幅器では、３個の方向性結合器（ハイブリッド）４１、４６、５１を利用して、本線及び歪み検出用経路から構成される歪み検出ループＬ１１と、本線及び歪み補償用経路から構成される歪み補償ループＬ１２を形成している。
【０００９】
具体的には、信号入力端Ｐ２から第１の方向性結合器４１、第１の可変減衰器４２、第１の可変移相器４３、第１のカプラ６１、主増幅器（第１の増幅器）４４、第２の方向性結合器４６、第２の同軸遅延線４７、第３の方向性結合器５１、及び第３のカプラ６３を経て信号出力端Ｑ２に至る信号経路が本線に相当する。
【００１０】
また、信号入力端Ｐ２から第１の方向性結合器４１及び第１の同軸遅延線４５を経て第２の方向性結合器４６の出力端に至る信号経路が歪み検出用経路に相当する。
また、第２の方向性結合器４６の出力端から第２のカプラ６２、第２の可変減衰器４８、第２の可変移相器４９、及び補助増幅器（第２の増幅器）５０を経て第３の方向性結合器５１の出力端に至る信号経路が歪み補償用経路に相当する。
【００１１】
なお、第１の方向性結合器４１の一方の入力端子と第３の方向性結合器５１の一方の出力端子には終端のためにダミーロードである終端抵抗Ｒ１１、Ｒ１２が接続されている。これらの終端抵抗Ｒ１１、Ｒ１２は、線路の特性インピーダンスと等しいインピーダンスＺ０を有している。
また、同図に示したＦＦ増幅器では、３つのカプラ６１、６２、６３や、制御信号発生回路７２を有する制御回路７１からフィードバック制御系が構成されており、パイロット信号を用いた制御などが行われる。
【００１２】
同図に示したＦＦ増幅器により行われる動作の一例を示す。
信号入力端Ｐ２に例えばマルチキャリアの信号が印加されると、この信号は、第１の方向性結合器４１を介して第１の可変減衰器４２及び第１の可変移相器４３に入力されてこれらにより振幅及び位相の調整を受け、更に、主増幅器４４に入力されてこれにより増幅される。主増幅器４４により増幅された信号は、第２の方向性結合器４６及び第２の同軸遅延線４７を介して第３の方向性結合器５１に入力され、更に、第３の方向性結合器５１から信号出力端Ｑ２を介して当該ＦＦ増幅器の後段の回路へ出力される。なお、第２の同軸遅延線４７は、歪み補償ループＬ１２を構成する回路、例えば補助増幅器５０において発生する信号遅延を補償するための遅延線である。
【００１３】
また、信号入力端Ｐ２から入力される信号は、第１の方向性結合器４１により２分岐される。２個の分岐信号は成分の周波数構成上は同じ信号であり、本線側に供給される分岐信号は主増幅器４４により増幅されるのに対して、歪み検出用経路側に供給される分岐信号は概ねその振幅のまま第１の方向性結合器４１から第１の同軸遅延線４５を介して第２の方向性結合器４６に供給される。なお、第１の同軸遅延線４５は、本線側の回路、特に主増幅器４４において発生する信号遅延を補償するための遅延線である。
【００１４】
第１の同軸遅延線４５を介して第２の方向性結合器４６に供給された信号は、当該第２の方向性結合器４６により歪み成分を含む増幅信号と結合される。
具体的には、第２の方向性結合器４６は、主増幅器４４から出力されて歪み成分を含む信号を２分岐する。２個の分岐信号は成分の周波数構成上は同じ信号であり、一方の分岐信号は本線側に供給され、他方の分岐信号は歪み補償用経路側に供給される。第２の方向性結合器４６は、当該他方の分岐信号を歪み補償用経路へ供給するに際して、当該他方の分岐信号と第１の同軸遅延線４５を経由して入力される信号とを結合させることにより、当該他方の分岐信号中の搬送波成分を打ち消して（キャンセルして）当該他方の分岐信号から歪み成分を取り出す。
【００１５】
この結合の結果得られた歪みの信号は、第２の方向性結合器４６から、歪み補償用経路を構成する第２の可変減衰器４８、第２の可変移相器４９、及び補助増幅器５０に供給され、当該第２の可変減衰器４８及び当該第２の可変移相器４９において振幅及び位相の調整を受け、更に当該補助増幅器５０により増幅されて、第３の方向性結合器５１に入力される。第３の方向性結合器５１に入力された歪みの信号は、当該第３の方向性結合器５１において第２の同軸遅延線４７を経由して入力される信号と結合されて当該信号に含まれる歪みが打ち消され（キャンセルされ）、歪みが打ち消された当該信号が信号出力端Ｑ２から出力される。
【００１６】
ここで、第２の方向性結合器４６において主増幅器４４からの出力信号の分岐信号と第１の同軸遅延線４５を経由した信号とを結合させることにより搬送波成分を打ち消して主増幅器４４などで発生する歪みを取り出すためには、主増幅器４４からの出力信号の分岐信号に含まれる所定個数の搬送波成分と第１の同軸遅延線４５を経由した信号に含まれる同数の搬送波成分とが当該第２の方向性結合器４６における結合時点で互いに同タイミングで、同振幅で、逆位相であることが必要となる。
【００１７】
第１の同軸遅延線４５は、信号に遅延時間Ｄ１を与えて、搬送波成分同士を同タイミングにするための手段である。また、第１の可変減衰器４２と、第１の可変移相器４３と、第１の可変減衰器４２における信号減衰量Ｇ１及び第１の可変移相器４３における信号移相量θ１を最適な値に調整するように制御する制御回路７１は、搬送波成分同士を同振幅で逆位相とするための手段である。
このように、第１の同軸遅延線４５、第１の可変減衰器４２、第１の可変移相器４３、及び制御回路７１は、専ら歪み成分のみを含んで搬送波成分を含まない信号が補助増幅器５０に供給されるように第２の方向性結合器４６からの出力を調整する手段である。
【００１８】
また、第３の方向性結合器５１において第２の同軸遅延線４７を経由した信号と補助増幅器５０を経由した信号とを結合させることにより歪みを補償するためには、第１に、補助増幅器５０を経由した信号が専ら歪み成分のみを含んで搬送波成分を含まない信号であることが望ましい。ここで、補助増幅器５０における歪みの発生は歪み検出ループＬ１１が正常に動作する場合には無視することができるため、第１の同軸遅延線４５の遅延時間Ｄ１を適切な値に設定して更に制御回路７１が第１の可変減衰器４２及び第１の可変移相器４３を適切に制御することにより、この第１の条件を成り立たせることができる。
【００１９】
また、第３の方向性結合器５１において歪みを補償するためには、第２に、第２の同軸遅延線４７を経由した信号中の歪み成分と補助増幅器５０を経由した信号中の歪み成分とが、当該第３の方向性結合器５１における結合時点で互いに同タイミングで、同振幅で、逆位相であることが必要となる。
【００２０】
第２の同軸遅延線４７は、信号に対して遅延時間Ｄ２を与えて、歪み成分同士を同タイミングにするための手段である。また、第２の可変減衰器４８と、第２の可変移相器４９と、第２の可変減衰器４８における信号減衰量Ｇ２及び第２の可変移相器４９における信号移相量θ２を最適な値に調整するように制御する制御回路７１は、歪み成分同士を同振幅で逆位相とするための手段である。
【００２１】
なお、第１の信号減衰量Ｇ１及び第１の信号移相量θ１並びに第２の信号減衰量Ｇ２及び第２の信号移相量θ２を適切な値に調整するように制御する処理、すなわち歪み検出ループＬ１１及び歪み補償ループＬ１２の状態を最適化する処理は、制御回路７１により実行される。この最適化処理は、同図に示したＦＦ増幅器では、制御回路７１がＣＰＵ（Ｃｅｎｔｒａｌ　Ｐｒｏｃｅｓｓｉｎｇ　Ｕｎｉｔ）の制御の下に動作することにより実行される。
【００２２】
具体的には、第２のカプラ６２が第２の方向性結合器４６から歪み補償用経路への出力の一部を検出し、当該検出結果を制御回路７１の制御信号発生回路７２へ出力する。そして、制御信号発生回路７２は、第２のカプラ６２により主増幅器４４で発生した歪みのみが検出されるように、第１の可変減衰器４２の信号減衰量Ｇ１や第１の可変移相器４３の信号移相量θ１を制御する。
【００２３】
また、制御回路７１の制御信号発生回路７２は、所定のパイロット信号を発生して、当該パイロット信号を第１のカプラ６１へ出力する。第１のカプラ６１は、第１の可変移相器４３からの出力に対して当該パイロット信号を合成し、当該合成信号を主増幅器４４へ出力する。また、第３のカプラ６３が、第１のカプラ６１により増幅対象となる入力信号に挿入されたパイロット信号の成分を検出し、当該検出結果を制御回路７１の制御信号発生回路７２へ出力する。制御信号発生回路７２は、第３のカプラ６３から入力される検出結果に基づいて、第２の可変減衰器４８の信号減衰量Ｇ２や第２の可変移相器４９の信号移相量θ２を制御することにより、良好な歪み補償を実現する。
【００２４】
【発明が解決しようとする課題】
しかしながら、例えば上記図３に示したような従来のＦＦ増幅器では、マルチキャリア信号のように複数の異なる周波数帯域を有する信号群を処理する場合に、補助増幅器５０の周波数帯域特性を広帯域化しなければならないといった不具合があった。具体的には、例えば、補助増幅器５０の増幅時における振幅特性や位相特性を広帯域にわたって平坦な特性とすることは困難であり、歪み補償の精度を劣化させてしまう。
【００２５】
本発明は、このような従来の課題を解決するためになされたもので、歪み検出ループと歪み補償ループを有して、それぞれ異なる周波数帯域を有する複数の信号群を主増幅器で増幅して、当該主増幅器で発生する歪みを補償する構成において、例えば、歪み検出ループにより検出される歪みを増幅するために用いられる補助増幅器の周波数帯域特性を広帯域化しなくとも、複数の信号群について精度よく歪み補償を行うことができるフィードフォワード増幅器を提供することを目的とする。
【００２６】
なお、従来技術の一例として、特開２０００−２３６２２２号公報（文献１と言う）に記載された「フィードフォワード増幅器」では、歪み補償ループの補助増幅器のブロックとして、入力信号のチャンネル帯域より低い周波数帯域側に発生する歪み成分を増幅する第１の補助増幅器と入力信号のチャンネル帯域より高い周波数帯域側に発生する歪み成分を増幅する第２の補助増幅器とを並列的に動作させることにより、広帯域化が図られている。
【００２７】
ここで、上記文献１に記載された従来技術と後述する本発明とを比較すると、例えば、当該従来技術では連続した周波数帯域を有する入力信号（１つのキャリアの信号）について発生する上側周波数帯の歪み成分と下側周波数帯の歪み成分とを異なる補助増幅器により増幅する構成であるのに対して、本発明では複数の異なる周波数帯域を有する入力信号群（例えば、マルチキャリアの信号）について発生する各入力信号群毎の歪みを異なる補助増幅器により増幅する構成である点などで相違する。
【００２８】
【課題を解決するための手段】
上記目的を達成するため、本発明に係るフィードフォワード増幅器では、それぞれ異なる周波数帯域を有する複数の信号群を入力し、歪み検出ループにおいてこれら複数の入力信号群を主増幅器で増幅して当該主増幅器で発生する歪みを検出し、歪み補償ループにおいて当該主増幅器による増幅信号から歪み検出ループにより検出された歪みを除去するに際して、次のように、歪み補償ループを構成した。
すなわち、歪み補償ループは入力信号群と同数の歪み増幅系を有し、各歪み増幅系は歪み検出ループにより検出された歪みに含まれる各入力信号群毎の歪みを補助増幅器により増幅する。そして、歪み補償ループは、これら複数（つまり、入力信号群と同数）の歪み増幅系により増幅された各入力信号群毎の歪みの総和を主増幅器による増幅信号から除去する。
【００２９】
従って、歪み補償ループにおいて、各入力信号群毎に対応して入力信号群と同数の歪み増幅系を備え、各歪み増幅系毎の補助増幅器により各入力信号群毎の歪みを増幅するようにしたため、例えば、歪み検出ループにより検出される歪みを増幅するために用いられる補助増幅器の周波数帯域特性を広帯域化しなくとも、つまり各歪み増幅系の補助増幅器の周波数帯域特性を広帯域化しなくとも、複数の入力信号群について精度よく歪み補償を行うことができる。
【００３０】
ここで、複数の信号群はそれぞれ異なる周波数帯域を有しており、それぞれの信号群の周波数帯域としては種々な周波数帯域が用いられてもよい。具体例として、それぞれの信号群の周波数帯域としては、互いに離隔したような周波数帯域が用いられる。
【００３１】
また、複数の信号群の数としては、種々な数が用いられてもよい。
また、それぞれの信号群は、例えば周波数帯域幅を有している。なお、例えば１点の周波数の信号が本発明に言う信号群として用いられてもよく、本発明はこのような態様も包含する。
【００３２】
また、歪み検出ループの構成や、歪み除去ループの構成としては、種々な構成が用いられてもよい。
また、主増幅器としては、種々な増幅器が用いられてもよい。具体例として、主増幅器としては、複数の周波数の信号をまとめて増幅することが可能な共通増幅器が用いられる。
【００３３】
また、歪み検出ループにより検出される歪みには、それぞれの信号群毎の歪み、つまりそれぞれの信号群を主増幅器で増幅することにより発生した歪みが含まれる。
また、各入力信号群毎の歪みとしては、例えば、当該各入力信号群に対して上側（高周波数側）の周波数帯に発生する３次歪み（上側３次歪み）や、当該各入力信号群に対して下側（低周波数側）の周波数帯に発生する３次歪み（下側３次歪み）などがある。
【００３４】
また、歪み補償ループにおいて主増幅器による増幅信号から歪みを除去する精度としては、実用上で有効であれば、種々な精度が用いられてもよく、つまり、歪み補償ループにおいて行われる歪み補償の精度としては、実用上で有効であれば、種々な精度が用いられてもよい。
【００３５】
また、補助増幅器としては、種々な増幅器が用いられてもよい。具体例として、各歪み増幅系の補助増幅器としては、それぞれにより増幅する対象となる歪みの周波数帯域の信号を増幅するのに良好な特性を有するような増幅器が用いられ、更に具体例として、それぞれにより増幅する対象となる歪みの周波数帯域にわたって増幅時における振幅特性や位相特性が平坦であるような増幅器が用いられる。
【００３６】
また、各歪み増幅系としては、種々な構成のものが用いられてもよい。
また、全ての歪み増幅系により増幅された各入力信号群毎の歪みの総和を主増幅器による増幅信号から除去すると、全ての入力信号群について主増幅器で発生した歪みを当該増幅信号から除去することができる。
【００３７】
なお、一構成例として、歪み補償ループには、歪み検出ループにより検出された歪みを各歪み増幅系に対して分配する例えば分配器などから構成される分配手段と、各歪み増幅系の補助増幅器により増幅された各入力信号群毎の歪みを総和する例えば合成器などから構成される合成手段が備えられる。
【００３８】
また、本発明に係るフィードフォワード増幅器では、一構成例として、歪み補償ループが有する各歪み増幅系は、それぞれに対応した入力信号群の歪みを抽出するフィルタを備え、当該フィルタにより抽出される歪みを補助増幅器により増幅する。
従って、各歪み増幅系において、増幅する対象となる各入力信号群毎の歪みをフィルタにより抽出することができ、不要な周波数成分を除去することができる。
【００３９】
ここで、フィルタとしては、種々なフィルタが用いられてもよい。
また、具体例として、それぞれの歪み増幅系のフィルタとしては、当該それぞれの歪み増幅系により増幅する対象となる歪みの周波数帯域及び当該歪みに対応した入力信号群の周波数帯域の信号を抽出して、これら以外の周波数帯域の信号を除去するような特性を有するフィルタが用いられる。
【００４０】
また、本発明に係るフィードフォワード増幅器では、一構成例として、次のように、歪み補償ループが有する各歪み増幅系を構成した。
すなわち、歪み補償ループが有する各歪み増幅系では、バンドパスフィルタがそれぞれに対応した入力信号群の歪みを抽出し、振幅変化器がバンドパスフィルタにより抽出される歪みの振幅を変化させ、位相変化器がバンドパスフィルタにより抽出される歪みの位相を変化させ、補助増幅器が振幅変化器により振幅が変化させられて位相変化器により位相が変化させられた歪みを増幅する。
従って、各歪み増幅系において、それぞれに対応した入力信号群の歪みを補助増幅器で増幅するに際して、当該歪みの振幅や位相を変化させて制御することができる。
【００４１】
ここで、歪みの振幅を変化させる態様としては、例えば、歪みを減衰して当該歪みの振幅を低減する態様や、或いは、歪みを増幅して当該歪みの振幅を増加する態様を用いることができる。
また、振幅変化器としては、例えば、可変な減衰量で信号を減衰する機能を有する可変減衰器や、或いは、可変な増幅量で信号を増幅する機能を有する可変増幅器を用いることができる。
【００４２】
また、位相変化器としては、例えば、可変な位相変化量で信号の位相を変化させる機能を有する可変移相器を用いることができる。
また、振幅変化器により歪みの振幅を変化させて位相変化器により当該歪みの位相を変化させる順序としては、任意であってもよく、具体的には、歪みの振幅を変化させた後に当該歪みの位相を変化させる態様が用いられてもよく、或いは、歪みの位相を変化させた後に当該歪みの振幅を変化させる態様が用いられてもよい。なお、歪みの振幅と位相を変化させるに際して、例えば、歪みの振幅のみを変化させる場合や、歪みの位相のみを変化させる場合や、歪みの振幅も位相も変化させない場合があってもよい。
【００４３】
また、本発明に係るフィードフォワード増幅器では、一構成例として、歪み補償ループが有する各歪み増幅系に備えられるバンドパスフィルタとして、抽出する歪みの周波数帯域において遅延平坦性及び振幅平坦性を有するバンドパスフィルタを用いた。
従って、各歪み増幅系のバンドパスフィルタによるフィルタリングにおける遅延平坦性及び振幅平坦性を確保することができる。
【００４４】
ここで、抽出する歪みの周波数帯域における遅延平坦性とは、当該周波数帯域の歪みを抽出する場合に当該歪みの全体にわたって生じる遅延が同一又は同程度であるような特性のことである。
また、抽出する歪みの周波数帯域における振幅平坦性とは、当該周波数帯域の歪みを抽出する場合に当該歪みの全体にわたって生じる振幅の変化が同一又は同程度であるような特性のことである。
【００４５】
また、本発明に係るフィードフォワード増幅器では、一構成例として、次のようにして、パイロット信号を用いた制御を行う。
すなわち、各入力信号群毎にパイロット信号を設け、この構成では、パイロット信号の数は入力信号群と同数となる。そして、パイロット信号合成手段が、歪み検出ループに備えられた主増幅器により増幅される前における複数の入力信号群に対して、各入力信号群毎に設けられる入力信号群と同数のパイロット信号を合成する。パイロット信号対応信号検出手段が、歪み補償ループにより歪みが除去された主増幅器による増幅信号に含まれる各パイロット信号に対応した信号を検出する。パイロット信号制御手段が、パイロット信号対応信号検出手段による検出結果に基づいて、歪み補償ループにより歪みが除去された主増幅器による増幅信号に含まれる歪みが低減されるように、歪み補償ループが有する各歪み増幅系を制御する。
【００４６】
従って、例えばそれぞれの入力信号群毎に対応したパイロット信号に基づいて当該それぞれの入力信号群毎に対応した歪み増幅系が制御されて、歪みが除去された主増幅器による増幅信号に含まれる歪みが低減させられるため、各入力信号群について精度のよい歪み補償を行うことができる。なお、歪みが除去された主増幅器による増幅信号に含まれる歪みは、当該歪み除去によっては除去されずに残存した歪みに相当する。
【００４７】
ここで、主増幅器により増幅される前における複数の入力信号群に対してパイロット信号を合成する態様としては、例えば、主増幅器の直前における複数の入力信号群に対してパイロット信号を合成する態様が用いられ、或いは、他の態様が用いられてもよい。
【００４８】
また、各入力信号群のパイロット信号としては、種々な周波数を有する信号が用いられてもよく、例えば当該各入力信号群の歪みの周波数帯域の内側の周波数或いは外側で近くの周波数を有するような信号が用いられるのが好ましく、また、例えば各入力信号群の歪みを構成する信号の周波数とは異なる周波数を有するような信号が用いられるのが好ましい。
【００４９】
また、パイロット信号としては、種々な信号が用いられてもよい。
また、パイロット信号合成手段としては、例えば各入力信号群毎のパイロット信号を個別に合成するようなものが用いられてもよく、或いは、複数の入力信号群のパイロット信号をまとめて合成するようなものが用いられてもよい。
【００５０】
また、パイロット信号対応信号検出手段により検出する各パイロット信号に対応した信号としては、例えば、各パイロット信号の周波数と同一の周波数を有する信号が検出される。
また、パイロット信号対応信号検出手段としては、例えば各パイロット信号に対応する信号を個別に検出するようなものが用いられてもよく、或いは、複数のパイロット信号に対応する信号をまとめて検出するようなものが用いられてもよい。
【００５１】
また、歪み補償ループにより歪みが除去された主増幅器による増幅信号に含まれる歪みが低減されるように制御する態様としては、例えば、パイロット信号対応信号検出手段により検出される信号のレベルが小さくなるように制御する態様を用いることができ、更に、当該信号のレベルが最小となるように制御する態様を用いるのも好ましい。
【００５２】
また、歪み補償ループが有する各歪み増幅系を制御する態様としては、例えば、各歪み増幅系に備えられる振幅変化器や位相変化器に対して当該振幅変化器の振幅変化量や当該位相変化器の位相変化量を制御するような態様を用いることができる。
【００５３】
また、以上のような本発明に係るフィードフォワード増幅器は、例えば携帯電話システムや簡易型携帯電話システム（ＰＨＳ：Ｐｅｒｓｏｎａｌ　Ｈａｎｄｙ　ｐｈｏｎｅ　Ｓｙｓｔｅｍ）などの移動体通信システムに設けられる基地局装置や中継局装置などに備えられるのに適している。
一例として、本発明に係る基地局装置などでは、以上のようなフィードフォワード増幅器を備え、通信相手となる移動局装置などに対するマルチキャリアなどの信号を当該フィードフォワード増幅器により増幅して当該増幅の際に発生する歪みを補償し、当該増幅後の信号を通信相手に対して無線により送信する。
【００５４】
ここで、移動体通信システムや、基地局装置や、中継局装置や、移動局装置などの構成としては、種々な構成が用いられてもよい。
また、通信方式としては、例えばＣＤＭＡ（Ｃｏｄｅ　Ｄｉｖｉｓｉｏｎ　Ｍｕｌｔｉｐｌｅ　Ａｃｃｅｓｓ）方式やＴＤＭＡ（Ｔｉｍｅ　Ｄｉｖｉｓｉｏｎ　Ｍｕｌｔｉｐｌｅ　Ａｃｃｅｓｓ）方式やＦＤＭＡ（Ｆｒｅｑｕｅｎｃｙ　Ｄｉｖｉｓｉｏｎ　Ｍｕｌｔｉｐｌｅ　Ａｃｃｅｓｓ）方式などの種々な通信方式が用いられてもよい。
【００５５】
【発明の実施の形態】
本発明に係る一実施例を図面を参照して説明する。
図１には、本発明に係るフィードフォワード増幅器（ＦＦ増幅器）の一例を示してある。本例のＦＦ増幅器は、移動体通信システムの基地局装置に備えられており、当該基地局装置により無線送信する対象となるマルチキャリア信号を主増幅器により増幅して当該増幅の際に発生する歪みを補償する。また、本例では、本例のＦＦ増幅器に入力されるマルチキャリア信号が、互いに異なる周波数帯域を有して互いに離隔した周波数帯域を有する２つの信号群（第１の入力信号群及び第２の入力信号群）から構成される場合を示す。
【００５６】
本例のＦＦ増幅器には、信号入力端Ｐ１と信号出力端Ｑ１との間に、３つの方向性結合器（ハイブリッド）１、６、１９が備えられている。
また、第１の方向性結合器１と第２の方向性結合器６との間には、一方の線路に第１の可変減衰器２と第１の可変移相器３と第１のカプラ２１と第４のカプラ２２と主増幅器（第１の増幅器）４が備えられており、他方の線路に第１の同軸遅延線５が備えられている。
【００５７】
また、第２の方向性結合器６と第３の方向性結合器１９との間には、一方の線路に第２の同軸遅延線７が備えられており、他方の線路に第２のカプラ２３と第４の方向性結合器８と２つの歪み増幅系（第１の歪み増幅系及び第２の歪み増幅系）と第５の方向性結合器１７と歪み増幅器（第４の増幅器）１８が備えられている。
【００５８】
また、第１の歪み増幅系には第１のバンドパスフィルタ（ＢＰＦ：Ｂａｎｄ　Ｐａｓｓ　Ｆｉｌｔｅｒ）９と第２の可変減衰器１０と第２の可変移相器１１と補助増幅器（第２の増幅器）１２が備えられており、第２の歪み増幅系には第２のバンドパスフィルタ１３と第３の可変減衰器１４と第３の可変移相器１５と補助増幅器（第３の増幅器）１６が備えられている。
また、第３の方向性結合器１９と信号出力端Ｑ１との間には、第３のカプラ２４と第５のカプラ２５が備えられている。
【００５９】
なお、第１の方向性結合器１の一方の入力端子と第３の方向性結合器１９の一方の出力端子と第４の方向性結合器８の一方の入力端子と第５の方向性結合器１７の一方の出力端子には終端のためにダミーロードである終端抵抗Ｒ１〜Ｒ４が接続されている。これらの終端抵抗Ｒ１〜Ｒ４は、線路の特性インピーダンスと等しいインピーダンスＺ０を有している。
【００６０】
また、本例のＦＦ増幅器では、カプラ２１〜２５や、制御信号発生回路３２を有する制御回路３１からフィードバック制御系が構成されており、パイロット信号を用いた制御などが行われる。
【００６１】
本例のＦＦ増幅器では、第１の方向性結合器１と第２の方向性結合器６との間の前記一方の線路と第２の方向性結合器６と第３の方向性結合器１９との間の前記一方の線路から本線が構成されており、第１の方向性結合器１と第２の方向性結合器６との間の前記他方の線路から歪み検出用経路が構成されており、第２の方向性結合器６と第３の方向性結合器１９との間の前記他方の線路から歪み補償用経路が構成されている。また、第１の方向性結合器１と第２の方向性結合器６との間の前記一方の線路（本線）と歪み検出用径路から構成されるループにより歪み検出ループＬ１が形成されており、第２の方向性結合器６と第３の方向性結合器１９との間の前記一方の線路（本線）と歪み補償用経路から構成されるループにより歪み補償ループＬ２が形成されている。
【００６２】
ここで、本例のＦＦ増幅器の構成や動作は、歪み補償ループＬ２に複数の歪み増幅系を備えている点や、複数のパイロット信号に対応したカプラ２１、２２、２４、２５を備えている点を除いては、例えば上記図３に示したＦＦ増幅器の構成や動作と同様である。
このため、以下では、上記図３に示したＦＦ増幅器とは異なる構成や動作について詳しく説明する。
【００６３】
本例のＦＦ増幅器により行われる動作の一例を示す。
なお、カプラ２１〜２５に関する動作については、まとめて後述する。
まず、信号入力端Ｐ１から信号を入力して、歪み検出ループＬ１により主増幅器４で発生した歪みを検出する動作については、例えば上記図３に示したＦＦ増幅器の場合と同様である。
また、第２の方向性結合器６と第３の方向性結合器１９との間に備えられた第２の同軸遅延線７を経由する本線側の動作についても、例えば上記図３に示したＦＦ増幅器の場合と同様である。
【００６４】
第２の方向性結合器６により取り出された歪み成分の信号は第４の方向性結合器８へ送られる。第４の方向性結合器８では、入力される歪み成分の信号を２分岐して、一方の分岐信号を第１の歪み増幅系の第１のバンドパスフィルタ９へ出力し、他方の分岐信号を第２の歪み増幅系の第２のバンドパスフィルタ１３へ出力する。
【００６５】
第１の歪み増幅系では、供給された一方の分岐信号が第１のバンドパスフィルタ９によりフィルタリングされることにより当該一方の分岐信号に含まれる第１の入力信号群の周波数帯域及び第１の入力信号群に起因して主増幅器４で発生した歪みの周波数帯域のみの信号が抽出されて、当該抽出された信号（第１の抽出信号と言う）が第２の可変減衰器１０へ出力される。そして、当該抽出された第１の抽出信号は、第２の可変減衰器１０により減衰させられ、第２の可変移相器１２により位相が変化させられ、補助増幅器１２により増幅されて、第５の方向性結合器１７へ出力される。このように、第１の歪み増幅系では、第１の入力信号群及び第１の入力信号群に起因して主増幅器４で発生した歪みのみが第１のバンドパスフィルタ９により取り出されて増幅などされる。
【００６６】
同様に、第２の歪み増幅系では、供給された他方の分岐信号が第２のバンドパスフィルタ１３によりフィルタリングされることにより当該他方の分岐信号に含まれる第２の入力信号群の周波数帯域及び第２の入力信号群に起因して主増幅器４で発生した歪みの周波数帯域のみの信号が抽出されて、当該抽出された信号（第２の抽出信号と言う）が第３の可変減衰器１４へ出力される。そして、当該抽出された第２の抽出信号は、第３の可変減衰器１４により減衰させられ、第３の可変移相器１５により位相が変化させられ、補助増幅器１６により増幅されて、第５の方向性結合器１７へ出力される。このように、第２の歪み増幅系では、第２の入力信号群及び第２の入力信号群に起因して主増幅器４で発生した歪みのみが第２のバンドパスフィルタ１３により取り出されて増幅などされる。
【００６７】
第５の方向性結合器１７は、第１の歪み増幅系の補助増幅器１２から入力される信号と第２の歪み増幅系の補助増幅器１６から入力される信号とを結合し、当該結合結果を歪み増幅器１８へ出力する。歪み増幅器１８は、入力される当該結合信号を増幅して第３の方向性結合器１９へ出力する。第３の方向性結合器１９は、第２の同軸遅延線７を経由して入力される信号から、２つの歪み増幅系を経由して歪み増幅器１８を介して入力される歪みの信号を除去して、当該歪みの信号を除去した信号を出力する。
【００６８】
このように、本例のＦＦ増幅器では、第１の入力信号群の歪みが第１の歪み増幅系により抽出及び増幅などされて第３の方向性結合器１９により本線側の信号から除去されるとともに、第２の入力信号群の歪みが第２の歪み増幅系により抽出及び増幅などされて第３の方向性結合器１９により本線側の信号から除去される。
【００６９】
ここで、第２の可変減衰器１０は、制御回路３１の制御信号発生回路３２から制御信号を受け、当該制御信号に基づいて信号減衰量Ｇ２を可変させる。
また、第２の可変移相器１１は、制御回路３１の制御信号発生回路３２から制御信号を受け、当該制御信号に基づいて信号移相量θ２を可変させる。
同様に、第３の可変減衰器１４は、制御回路３１の制御信号発生回路３２から制御信号を受け、当該制御信号に基づいて信号減衰量Ｇ３を可変させる。
また、第３の可変移相器１５は、制御回路３１の制御信号発生回路３２から制御信号を受け、当該制御信号に基づいて信号移相量θ３を可変させる。
【００７０】
そして、第２の同軸遅延線７を経由する信号に含まれる第１の入力信号群の歪みの信号と、第１の歪み増幅系及び第５の方向性結合器１７及び歪み増幅器１８を経由する第１の入力信号群の歪みの信号とが第３の方向性結合器１９における結合時点で互いに同遅延（同タイミング）で、同振幅で、逆位相となるようにするために、制御回路３１により第２の可変減衰器１０の信号減衰量Ｇ２及び第２の可変移相器１１の信号移相量θ２を調節する。
【００７１】
また、同様に、第２の同軸遅延線７を経由する信号に含まれる第２の入力信号群の歪みの信号と、第２の歪み増幅系及び第５の方向性結合器１７及び歪み増幅器１８を経由する第２の入力信号群の歪みの信号とが第３の方向性結合器１９における結合時点で互いに同遅延（同タイミング）で、同振幅で、逆位相となるようにするために、制御回路３１により第３の可変減衰器１４の信号減衰量Ｇ３及び第３の可変移相器１５の信号移相量θ３を調節する。
【００７２】
なお、第１の歪み増幅系に備えられる第１のバンドパスフィルタ９や、第２の歪み増幅系に備えられる第２のバンドパスフィルタ１３としては、好ましい態様として、例えば遅延平坦性や振幅平坦性を有しており、これにより、処理する信号の位相や振幅が乱されてしまって歪み補償の精度が劣化してしまうようなことを防止している。
【００７３】
このように、本例のＦＦ増幅器では、第１の歪み増幅系に備えられた第１のバンドパスフィルタ９により取り出される第１の入力信号群及びその歪みの周波数帯域での歪み補償が可能であるとともに、第２の歪み増幅系に備えられた第２のバンドパスフィルタ１３により取り出される第２の入力信号群及びその歪みの周波数帯域での歪み補償が可能である。従って、本例のＦＦ増幅器では、例えば上記図３に示したような従来のＦＦ増幅器と比べて、広い帯域で歪み補償を行うことが可能となる。
【００７４】
次に、本例のＦＦ増幅器に備えられたカプラ２１〜２５に関する動作の一例を示す。
第２のカプラ２３は、第２の方向性結合器６から歪み補償用経路への出力の一部を検出し、当該検出結果を制御回路３１の制御信号発生回路３２へ出力する。そして、制御信号発生回路３２は、主増幅器４で発生した歪みのみが第２のカプラ２３により検出されるように、第１の可変減衰器２の信号減衰量Ｇ１や第１の可変移相器３の信号移相量θ１を制御する。なお、本例では、主増幅器４で発生する歪みには、第１の入力信号群に起因した歪みと、第２の入力信号群に起因した歪みが含まれる。
【００７５】
また、制御回路３１の制御信号発生回路３２は、第１の入力信号群に対して所定の第１のパイロット信号を発生して、当該第１のパイロット信号を第１のカプラ２１へ出力する。第１のカプラ２１は、第１の可変移相器３からの出力に対して当該第１のパイロット信号を合成し、当該合成信号を第２のカプラ２２へ出力する。
また、同様に、制御回路３１の制御信号発生回路３２は、第２の入力信号群に対して所定の第２のパイロット信号を発生して、当該第２のパイロット信号を第４のカプラ２２へ出力する。第４のカプラ２２は、第１のカプラ２１からの出力に対して当該第２のパイロット信号を合成し、当該合成信号を主増幅器４へ出力する。
【００７６】
また、第３のカプラ２４が、第１のカプラ２１により増幅対象となる入力信号に挿入された第１のパイロット信号の成分を検出し、当該検出結果を制御回路３１の制御信号発生回路３２へ出力する。制御信号発生回路３２は、第３のカプラ２４から入力される検出結果に基づいて、第１の入力信号群に対応した第１の歪み増幅系に備えられた第２の可変減衰器１０の信号減衰量Ｇ２や第２の可変移相器１１の信号移相量θ２を制御することにより、第１の入力信号群の歪みに関して良好な歪み補償を実現する。
【００７７】
また、同様に、第５のカプラ２５が、第２のカプラ２２により増幅対象となる入力信号に挿入された第２のパイロット信号の成分を検出し、当該検出結果を制御回路３１の制御信号発生回路３２へ出力する。制御信号発生回路３２は、第５のカプラ２５から入力される検出結果に基づいて、第２の入力信号群に対応した第２の歪み増幅系に備えられた第３の可変減衰器１４の信号減衰量Ｇ３や第３の可変移相器１５の信号移相量θ３を制御することにより、第２の入力信号群の歪みに関して良好な歪み補償を実現する。
【００７８】
このように、本例のＦＦ増幅器では、第１の入力信号群と第２の入力信号群との２つの入力信号群に対応して第１の歪み増幅系の補助増幅器１２と第２の歪み増幅系の補助増幅器１６との２つの補助増幅器を用いることから、２つのパイロット信号を用いることとし、このため、増幅対象となる信号に対して２つのパイロット信号を挿入する構成及び歪み補償後の増幅信号から２つのパイロット信号に対応した信号を検出する構成とした。
【００７９】
なお、増幅対象となる信号に対して２つのパイロット信号を挿入する構成や、歪み補償後の増幅信号から２つのパイロット信号に対応した信号を検出する構成としては、例えば２つのパイロット信号について共通な１つのカプラを用いて行うことも可能である。
また、本例では、歪み補償後の増幅信号に含まれる第１のパイロット信号に対応した信号或いは第２のパイロット信号に対応した信号のレベルが小さくなるほど、当該歪み補償後の増幅信号に含まれる第１の入力信号群の歪み或いは第２の入力信号群の歪みが小さくなる。
【００８０】
次に、具体的な信号の例を用いて、本例のＦＦ増幅器により行われる動作の一例を示す。
図２には、Ｗ（Ｗｉｄｅｂａｎｄ）−ＣＤＭＡ方式の信号群とＰＣＳ（Ｐｅｒｓｏｎａｌ　Ｃｏｍｍｕｎｉｃａｔｉｏｎ　Ｓｅｒｖｉｃｅｓ）の信号群から構成される信号が本例のＦＦ増幅器に入力されて増幅される場合の例を示してある。なお、図２（ａ）〜図２（ｇ）中のグラフでは、横軸は周波数を示しており、縦軸は信号のレベルを示している。
【００８１】
図２（ａ）には、本例のＦＦ増幅器に入力される信号の一例として、周波数ｆ１＝１９５０ＭＨｚから周波数ｆ２＝１９７０ＭＨｚまでの周波数帯域ΔＦ１を有する第１の入力信号群と、周波数ｆ３＝２１３０ＭＨｚから周波数ｆ４＝２１５０ＭＨｚまでの周波数帯域ΔＦ２を有する第２の入力信号群を示してある。ここで、例えば、第１の入力信号群がＰＣＳの信号群であり、第２の入力信号群がＷ−ＣＤＭＡの信号群である。
【００８２】
図２（ｂ）には、主増幅器４から出力される信号の一例として、主増幅器４により増幅された第１の入力信号群及び第２の入力信号群と、第１の入力信号群に対して挿入された後に主増幅器４により増幅された第１のパイロット信号（ＰＩＬＯＴ１）と、第２の入力信号群に対して挿入された後に主増幅器４により増幅された第２のパイロット信号（ＰＩＬＯＴ２）と、第１の入力信号群に起因して主増幅器４で発生した歪みと、第２の入力信号群に起因して主増幅器４で発生した歪みを示してある。
【００８３】
ここで、第１の入力信号群の歪みとしては、例えば周波数帯域ΔＦ１を有する上側周波数帯の歪みと、周波数帯域ΔＦ１を有する下側周波数帯の歪みがある。同様に、第２の入力信号群の歪みとしては、例えば周波数帯域ΔＦ２を有する上側周波数帯の歪みと、周波数帯域ΔＦ２を有する下側周波数帯の歪みがある。
【００８４】
また、本例では、第１の入力信号群の周波数帯域と比べて第２の入力信号群の周波数帯域が高くなっており、第１の入力信号群に起因した上側周波数帯の歪みと第２の入力信号群に起因した下側周波数帯の歪みとの間の周波数間隔ΔＦ３が適度に広い間隔となっている。
【００８５】
また、上記図２（ｂ）では、第１のパイロット信号及び第２のパイロット信号を点線で示してある。
なお、上記図２（ｂ）では、第１の入力信号群と第２の入力信号群とのそれぞれに対してパイロット信号を挿入する一例として、主増幅器４で発生する歪みとパイロット信号とが同一の周波数に設定されているが、好ましくは、歪みが発生しない周波数にパイロット信号が設けられるのがよい。
【００８６】
図２（ｃ）には、第２のカプラ２３により検出される歪み成分の一例を示してあり、第１の入力信号群の歪み及び第２の入力信号群の歪みから成る歪み成分のみが抽出されている。
図２（ｄ）には、第１の歪み増幅系の補助増幅器１２により増幅された第１の入力信号群の歪みの一例を示してあり、第１の入力信号群の歪みのみが増幅されている。
図２（ｅ）には、第２の歪み増幅系の補助増幅器１６により増幅された第２の入力信号群の歪みの一例を示してあり、第２の入力信号群の歪みのみが増幅されている。
【００８７】
図２（ｆ）には、歪み増幅器１８により増幅された歪みの一例を示してあり、第１の入力信号群の歪みと第２の入力信号群の歪みが増幅されている。
図２（ｇ）には、信号出力端Ｑ１から出力される信号の一例として、増幅された第１の入力信号群及び第２の入力信号群を示してあり、主増幅器４で発生した歪みが第３の方向性結合器１９において歪み増幅器１８により増幅された歪みによって補償されている。
【００８８】
以上のように、本例のＦＦ増幅器では、歪み検出ループや歪み補償ループといったフィードフォワードループを有し、そして、歪み補償ループにおいて、分配器として機能する第４の方向性結合器８により主増幅器４で発生した歪みを分配し、入力信号群毎に備えられたバンドパスフィルタ９、１３や可変減衰器１０、１４や可変移相器１１、１５や補助増幅器１２、１６により入力信号群毎の歪みを増幅などし、合成器として機能する第５の方向性結合器１７により当該増幅後の複数の入力信号群の歪みを合成することが行われ、このような構成を用いて複数の入力信号群に対する歪み補償が行われる。また、本例のＦＦ増幅器では、入力信号群毎に異なるパイロット信号が用いられて歪み補償に関するフィードバック制御が行われ、これにより、フィードフォワードループが最適化される。
【００８９】
また、歪み補償ループの各歪み増幅系に備えられたバンドパスフィルタ９、１３は、遅延平坦及び振幅平坦の特性を有しており、そして、本例のＦＦ増幅器に入力される互いに不連続な周波数帯域を有する複数の入力信号群から構成される入力波から、互いに周波数が離れている各入力信号群の成分（歪みを含む）を取り出す。
【００９０】
従って、本例のＦＦ増幅器では、例えば互いに周波数が離れた複数の信号群を入力して増幅及び歪み補償を行うような場合に、歪み補償ループにおいてそれぞれの入力信号群の歪み毎に補助増幅器１２、１６が備えられるため、例えばそれぞれの補助増幅器１２、１６の周波数特性を広帯域にしなくとも、精度がよい歪み補償を実現することができ、これにより、主増幅器４で発生する例えば相互変調歪みなどの非線形歪みを精度よく補償することができる。
【００９１】
具体例として、本例のＦＦ増幅器では、例えば従来と同程度の周波数特性を有する補助増幅器を用いた場合には、従来と比べて広い帯域で歪みを補償することが可能である。
また、本例のＦＦ増幅器では、一例として、基地局装置などの受信周波数帯域の受信信号に対して歪み補償を行うような場合に、当該受信信号の周波数帯域とは離れた周波数帯域の信号に対して歪み補償を同時に行うようなことが可能である。
【００９２】
なお、本例のＦＦ増幅器では、第２の可変減衰器１０の機能や第３の可変減衰器１４の機能により振幅変化器が構成されており、第２の可変移相器１１の機能や第３の可変移相器１５の機能により位相変化器が構成されている。
また、本例のＦＦ増幅器では、第１のカプラ２１の機能や第４のカプラ２２の機能によりパイロット信号合成手段が構成されており、第３のカプラ２４の機能や第５のカプラ２５の機能によりパイロット信号対応信号検出手段が構成されており、制御信号発生回路３２を有する制御回路３１の機能によりパイロット信号制御手段が構成されている。
【００９３】
ここで、本発明に係るフィードフォワード増幅器などの構成としては、必ずしも以上に示したものに限られず、種々な構成が用いられてもよい。なお、本発明は、例えば本発明に係る処理を実行する方法や、このような方法を実現するためのプログラムなどとして提供することも可能である。
また、本発明の適用分野としては、必ずしも以上に示したものに限られず、本発明は、種々な分野に適用することが可能なものである。
【００９４】
また、本発明に係るフィードフォワード増幅器などにおいて行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００９５】
【発明の効果】
以上説明したように、本発明に係るフィードフォワード増幅器によると、それぞれ異なる周波数帯域を有する複数の信号群を入力し、歪み検出ループにおいてこれら複数の入力信号群を主増幅器で増幅して当該主増幅器で発生する歪みを検出し、歪み補償ループにおいて当該主増幅器による増幅信号から歪み検出ループにより検出された歪みを除去する構成において、歪み補償ループでは、入力信号群と同数の歪み増幅系が歪み検出ループにより検出された歪みに含まれる各入力信号群毎の歪みを補助増幅器により増幅し、これら複数の歪み増幅系により増幅された各入力信号群毎の歪みの総和を主増幅器による増幅信号から除去するようにしたため、例えば各歪み増幅系の補助増幅器の周波数帯域特性を広帯域化しなくとも、複数の入力信号群について精度よく歪み補償を行うことができる。
【００９６】
また、本発明に係るフィードフォワード増幅器では、一構成例として、歪み補償ループが有する各歪み増幅系では、バンドパスフィルタがそれぞれに対応した入力信号群の歪みを抽出し、振幅変化器がバンドパスフィルタにより抽出される歪みの振幅を変化させ、位相変化器がバンドパスフィルタにより抽出される歪みの位相を変化させ、補助増幅器が振幅変化器により振幅が変化させられて位相変化器により位相が変化させられた歪みを増幅するようにし、これにより、各歪み増幅系において各入力信号群毎の歪みを補助増幅器で増幅するに際して当該歪みの振幅や位相を制御することができる。
【００９７】
また、本発明に係るフィードフォワード増幅器では、一構成例として、各入力信号群毎にパイロット信号を設け、歪み検出ループに備えられた主増幅器により増幅される前における複数の入力信号群に対して各入力信号群毎に設けられるパイロット信号を合成し、歪み補償ループにより歪みが除去された主増幅器による増幅信号に含まれる各パイロット信号に対応した信号を検出し、当該検出結果に基づいて歪み補償ループにより歪みが除去された主増幅器による増幅信号に含まれる歪みが低減されるように歪み補償ループが有する各歪み増幅系を制御するようにしたため、各入力信号群について精度のよい歪み補償を行うことができる。
【図面の簡単な説明】
【図１】本発明の一実施例に係るフィードフォワード増幅器の一例を示す図である。
【図２】本発明の一実施例に係るフィードフォワード増幅器により行われる信号処理の一例を説明するための図である。
【図３】従来例に係るフィードフォワード増幅器の一例を示す図である。
【符号の説明】
１、６、８、１７、１９・・方向性結合器、　２、１０、１４・・可変減衰器、３、１１、１５・・可変移相器、　４・・主増幅器、　５、７・・同軸遅延線、９、１３・・バンドパスフィルタ、　１２、１６・・補助増幅器、１８・・歪み増幅器、　２１〜２５・・カプラ、　３１・・制御回路、３２・・制御信号発生回路、　Ｒ１〜Ｒ４・・終端抵抗、Ｐ１・・信号入力端、　Ｑ１・・信号出力端、
【図１】
2004064377.tif 000003
【図２】
2004064377.tif 000004
【図３】
2004064377.tif 000005